(57)【要約】  【課題】  光ディスクをディスク収容部から容易に取り出すことができるディスク用ケースを提供すること。  【解決手段】  一対の割れ目６，６は、ディスク収容部４の周壁部のうち、トレイ台紙７の紙目に略直交する方向の両側部分にそれぞれ１つずつ設けられている。これらの各割れ目６，６は、トレイ台紙７の紙目に略直交する方向に沿って、補強紙８の外縁部からディスク収容部４の内周部まで連通している。  光ディスクＤを抜脱する場合は、収容トレイ２を一対の割れ目６，６に沿って割るように外力が加えられると、一対の割れ目６，６を稜線としてトレイ台紙７が側面視略アーチ状に撓められる。すると、ディスク収容部４がトレイ台紙７の紙目方向両端よりも湾出されるように迫り出されて、光ディスクＤが、保持突起５に嵌合されたままディスク収容部４から浮き上がって取り出しやすくなる。【選択図】        図１
2007254004.tif 000002
【特許請求の範囲】
【請求項１】
弾性的可撓性及び強度のある板紙製の台紙とその台紙の一面に重着される補強紙とを有した紙積層板と、
その紙積層板の前記補強紙の一部が光ディスクの外形に合った形状に除去されていることで、前記台紙からなる底面部と前記補強紙からなる周壁部とを有した有底凹陥状に形成されているディスク収容部と、
そのディスク収容部の周壁部のうち、前記台紙の紙目に略直交する方向の両側部分にそれぞれ設けられ、その台紙の紙目に略直交する方向に沿って、前記補強紙の外縁部から前記ディスク収容部まで連通している一対の割れ目と、
そのディスク収容部の底面略中央から突設され、光ディスクの保持孔に嵌脱可能で弾性変形可能な円柱状の保持突起とを備えていることを特徴とするディスク用ケース。
【請求項２】
前記ディスク収容部の中央を通って前記紙積層板を横断する仮想直線上には、前記保持突起が突設され、かつ、前記一対の割れ目が前記仮想直線に沿って形成されていることを特徴とする請求項１記載のディスク用ケース。
【請求項３】
前記一対の割れ目は、前記台紙の紙目方向と略同一方向の幅が人の指先幅と略等しく形成され、かつ、前記台紙を底面とする溝状に形成されており、
前記補強紙は、前記一対の割れ目を挟んで前記台紙の紙目方向に２分割されていることを特徴とする請求項１又は２に記載のディスク用ケース。
【請求項４】
前記台紙は、前記ディスク収容部の底面略中央を横切るように、その台紙の紙目に略直交する方向の幅全体にわたって設けられ、なおかつ、前記台紙の紙目方向に間隔を隔てている２本の撓め用筋目を備えており、
前記保持突起は、その２本の撓め用筋目の間隔部分に突設されており、
前記一対の割れ目は、前記台紙の紙目方向と同一方向に一定幅を有する溝状に形成されており、その溝幅が前記２本の撓め用筋目の間隔と略等しく形成され、なおかつ、その底面が前記台紙における前記２本の撓め用筋目の間隔部分であることを特徴とする請求項１から３のいずれかに記載のディスク用ケース。
【請求項５】
前記補強紙は、その補強紙の紙目が前記台紙の紙目に略直交した状態で、その台紙に重着されていることを特徴とする請求項１から４のいずれかに記載のディスク用ケース。
【請求項６】
前記台紙に少なくとも１本の折曲げ用筋目を介して一体的に連設され、その折曲げ用筋目を介して折り重ねられることで、前記紙積層板における前記ディスク収容部の形成面に覆設されるカバー紙を備えていることを特徴とする請求項１から５のいずれかに記載のディスク用ケース。
【請求項７】
前記台紙及びカバー紙は一枚の板紙に前記折曲げ用筋目を設けて折曲げ可能に形成されたものであり、
前記折曲げ用筋目は、前記台紙及びカバー紙を形成する板紙の紙目方向に沿って形成されていることを特徴とする請求項６記載のディスク用ケース。
【請求項８】
前記補強紙における前記台紙との非重着面に貼着されるマグネットシートと、
前記カバー紙が前記紙積層板に対して折り重ねられる場合に、前記マグネットシートに対する対向位置に貼着される磁性材シートとを備えていることを特徴とする請求項６又は７に記載のディスク用ケース。
【請求項９】
前記カバー紙には、所望の形状の穿設された窓穴が形成されていることを特徴とする請求項６から８のいずれかに記載のディスク用ケース。
【請求項１０】
前記保持突起は、光ディスクの保持孔よりも外径が大きな弾性発泡材製の略円柱状体で形成されており、
その保持突起の突出量は光ディスクの厚みより大きくされていることを特徴とする請求項１から９のいずれかに記載のディスク用ケース。
【請求項１１】
請求項１から１０のいずれかに記載のディスク用ケースにおける前記台紙若しくは補強紙の紙面、又は、請求項６から１０のいずれかに記載のディスク用ケースにおける前記カバー紙の紙面は、前記ディスク収容部内に収容される光ディスクに記憶される情報に関する文字情報や画像情報を表示するための表示スペースであることを特徴とするディスク用ケース。
【請求項１２】
前記紙積層板又はカバー紙の平面サイズは、それらの紙目方向に縦長な略長方形状に形成されており、単行本、書籍、又は、ＤＶＤ用トールケースと略等しいサイズに形成されていることを特徴とする請求項１から１１のいずれかに記載のディスク用ケース。
【発明の詳細な説明】
【技術分野】
【０００１】
本発明は、光ディスクを収容するための紙製のケースに関するものである。
【背景技術】
【０００２】
ＣＤ−ＲＯＭやＤＶＤなどの光ディスクを収容するためのディスク用ケースについては、例えば、特開２０００−２６４３８８に記載されている文庫本型の段ボール製ケースが提案されている。このディスク用ケースは複数枚の段ボールを折り重ねて形成されており、光ディスクが収容される正六角形の収容凹部には、光ディスクの出し入れを容易とするために切欠部が形成されている。
【特許文献１】特開２０００−２６４３８８
【発明の開示】
【発明が解決しようとする課題】
【０００３】
しかしながら、上記した段ボール製のディスク用ケースでは、複数枚の段ボールを重ね合わせることで形成されているため、光ディスクの収容凹部が光ディスクの厚みに対して深くなり過ぎて、切欠部があっても光ディスクを収容凹部から取り出し難い場合があるという問題点があった。
【０００４】
本発明は、上述した問題点を解決するためになされたものであり、光ディスクをディスク収容部から容易に取り出すことができるディスク用ケースを提供することを目的としている。
【課題を解決するための手段】
【０００５】
この目的を達成するために請求項１記載のディスク用ケースは、弾性的可撓性及び強度のある板紙製の台紙とその台紙の一面に重着される補強紙とを有した紙積層板と、その紙積層板の前記補強紙の一部が光ディスクの外形に合った形状に除去されていることで、前記台紙からなる底面部と前記補強紙からなる周壁部とを有した有底凹陥状に形成されているディスク収容部と、そのディスク収容部の周壁部のうち、前記台紙の紙目に略直交する方向の両側部分にそれぞれ設けられ、その台紙の紙目に略直交する方向に沿って、前記補強紙の外縁部から前記ディスク収容部まで連通している一対の割れ目と、そのディスク収容部の底面略中央から突設され、光ディスクの保持孔に嵌脱可能で弾性変形可能な円柱状の保持突起とを備えている。
【０００６】
この請求項１記載のディスク用ケースによれば、光ディスクを収容する場合は、その光ディスクがディスク収容部へ嵌入され、光ディスクの保持孔の周辺部が保持突起の頂部に載置される。それから光ディスクがディスク収容部の底面へ向けて押圧されると、保持突起が弾性変形しながら光ディスクの保持孔内へ嵌入される。そして、光ディスクがディスク収容部の底面（即ち、台紙表面）に当接されるまで押し込まれると、光ディスクの収容が完了する。
【０００７】
一方、光ディスクを抜脱する場合は、まず、ディスク用ケースの紙積層板が両手で掴まれて、その紙積層板を一対の割れ目に沿って割るようにして紙積層板が側面視略アーチ状に撓められる。このとき、紙積層板の中でも台紙と補強紙との積層部分は厚みがあって撓みにくいが、一対の割れ目の入れられた部分は補強紙が割けているため、弾性的可撓性のある台紙のみがスムーズに撓められる。
【０００８】
すると、その紙積層板のディスク収容部が、その紙積層板の台紙の紙目方向両端よりも湾出されるように迫り出され、それに伴って、光ディスクが、保持突起に嵌合されたままディスク収容部の底面から浮き上がって、ディスク収容部から離反される。そして、このディスク収容部から離反した部分が摘まれて光ディスクがディスク収容部から持ち上げられると、光ディスクの保持孔から保持突起が抜脱され、光ディスクがディスク収容部の外へと取り出される。
【０００９】
請求項２記載のディスク用ケースは、請求項１記載のディスク用ケースにおいて、前記ディスク収容部の中央を通って前記紙積層板を横断する仮想直線上には、前記保持突起が突設され、かつ、前記一対の割れ目が前記仮想直線に沿って形成されている。
【００１０】
請求項３記載のディスク用ケースは、請求項１又は２に記載のディスク用ケースにおいて、前記一対の割れ目は、前記台紙の紙目方向と略同一方向の幅が人の指先幅と略等しく形成され、かつ、前記台紙を底面とする溝状に形成されており、前記補強紙は、前記一対の割れ目を挟んで前記台紙の紙目方向に２分割されている。
【００１１】
請求項４記載のディスク用ケースは、請求項１から３のいずれかに記載のディスク用ケースにおいて、前記台紙は、前記ディスク収容部の底面略中央を横切るように、その台紙の紙目に略直交する方向の幅全体にわたって設けられ、なおかつ、前記台紙の紙目方向に間隔を隔てている２本の撓め用筋目を備えており、前記保持突起は、その２本の撓め用筋目の間隔部分に突設されており、前記一対の割れ目は、前記台紙の紙目方向と同一方向に一定幅を有する溝状に形成されており、その溝幅が前記２本の撓め用筋目の間隔と略等しく形成され、なおかつ、その底面が前記台紙における前記２本の撓め用筋目の間隔部分である。
【００１２】
請求項５記載のディスク用ケースは、請求項１から４のいずれかに記載のディスク用ケースにおいて、前記補強紙は、その補強紙の紙目が前記台紙の紙目に略直交した状態で、その台紙に重着されている。
【００１３】
請求項６記載のディスク用ケースは、請求項１から５のいずれかに記載のディスク用ケースにおいて、前記台紙に少なくとも１本の折曲げ用筋目を介して一体的に連設され、その折曲げ用筋目を介して折り重ねられることで、前記紙積層板における前記ディスク収容部の形成面に覆設されるカバー紙を備えている。
【００１４】
請求項７記載のディスク用ケースは、請求項６記載のディスク用ケースにおいて、前記台紙及びカバー紙は一枚の板紙に前記折曲げ用筋目を設けて折曲げ可能に形成されたものであり、前記折曲げ用筋目は、前記台紙及びカバー紙を形成する板紙の紙目方向に沿って形成されている。
【００１５】
請求項８記載のディスク用ケースは、請求項６又は７に記載のディスク用ケースにおいて、前記補強紙における前記台紙との非重着面に貼着されるマグネットシートと、前記カバー紙が前記紙積層板に対して折り重ねられる場合に、前記マグネットシートに対する対向位置に貼着される磁性材シートとを備えている。
【００１６】
請求項９記載のディスク用ケースは、請求項６から８のいずれかに記載のディスク用ケースにおいて、前記カバー紙には、所望の形状の穿設された窓穴が形成されている。
【００１７】
請求項１０記載のディスク用ケースは、請求項１から９のいずれかに記載のディスク用ケースにおいて、前記保持突起は、光ディスクの保持孔よりも外径が大きな弾性発泡材製の略円柱状体で形成されており、その保持突起の突出量は光ディスクの厚みより大きくされている。
【００１８】
請求項１１記載のディスク用ケースは、請求項１から１０のいずれかに記載のディスク用ケースにおける前記台紙若しくは補強紙の紙面、又は、請求項６から１０のいずれかに記載のディスク用ケースにおける前記カバー紙の紙面は、前記ディスク収容部内に収容される光ディスクに記憶される情報に関する文字情報や画像情報を表示するための表示スペースである。
【００１９】
請求項１２記載のディスク用ケースは、請求項１から１１のいずれかに記載のディスク用ケースにおいて、前記紙積層板又はカバー紙の平面サイズは、それらの紙目方向に縦長な略長方形状に形成されており、単行本、書籍、又は、ＤＶＤ用トールケースと略等しいサイズに形成されている。
【発明の効果】
【００２０】
請求項１記載のディスク用ケースによれば、光ディスクは、その保持孔内に弾性変形したまま嵌合されている保持突起によって、その保持突起の弾性復元力を介して確実に保持される。よって、例えば、薄板状の紙積層板に凹設可能な浅めのディスク収容部であっても、光ディスクを脱落させることなく確実に保持することができるという効果がある。一方、光ディスクをディスク収容部から抜脱させる場合、紙積層板の台紙を撓めることでディスク収容部から光ディスクを離反させることができ、その状態にある光ディスクを摘み上げれば、その光ディスクを保持突起及びディスク収容部から容易に抜脱することができるという効果がある。
【００２１】
また、光ディスクをディスク収容部から抜脱させる場合、紙積層板は、台紙の紙目方向両側が支えられて台紙の紙目方向中間部を弧状に迫り出すように撓められる。ここで、紙積層板の台紙に使用される板紙には、その紙目方向に伸縮しにくいとともに弾性的にも撓りやすく、それを撓めようとする外力に抵抗する弾性的な反発力を発揮することができるという特性がある。よって、積層板の台紙が光ディスクを取り出すときに加えられる外力に耐えきれずに折損することもなく、逆に、撓めやすい構造の紙積層板を創出することができるという効果がある。
【００２２】
また、紙積層板は、補強紙が台紙に重着されることで全体的には撓みにくくなるところが、補強紙に一対の割れ目が入れられることで、その一対の割れ目が入れられた部分では台紙が撓められ易い構造となっている。このように構成されることで、ディスク収容部を有する紙積層板は、光ディスクを収容して保護するために必要な剛性強度に加えて、それとは相反する特性、即ち、ディスク収容部から光ディスクを取り出すために必要となる可撓性を併有することができるという効果がある。
【００２３】
請求項２記載のディスク用ケースによれば、請求項１記載のディスク用ケースの奏する効果に加え、ディスク収容部の中央を通る仮想直線上には、保持突起及び一対の割れ目がほぼ一直線状に配置されるので、光ディスクを取り出すために紙積層板の台紙が撓められるときに、その台紙が側面視略アーチ状に撓んだときの頂部に保持突起を位置させることができる。このため、紙積層板の台紙が撓められた場合に、その台紙の紙目方向両側を光ディスクから均等に離反させることができるので（図３参照）、このとき、その離反したどちら側からでも、光ディスクを摘み上げて取り出すことができるという効果がある。
【００２４】
請求項３記載のディスク用ケースによれば、請求項１又は２に記載のディスク用ケースの奏する効果に加え、ディスク収容部の両側にある各割れ目は、その溝幅が人の指先幅と略等しくされているので、これらの各割れ目に指先を差し入れて、ディスク収容部内に収容されている光ディスクの両端を摘んで取り出すこともできるという効果がある。しかも、一対の割れ目の溝幅を人の指先幅程度の大きさとすることで、その一対の割れ目に沿って紙積層板を割るように台紙を撓ませる場合にも、かかる台紙を滑らかに撓めることができるものとなり、かつ、台紙の折損も更に起こりにくくなるという効果もある。
【００２５】
請求項４記載のディスク用ケースによれば、請求項１から３のいずれかに記載のディスク用ケースの奏する効果に加え、一対の割れ目に沿って紙積層板を割るようにして台紙を撓ませる場合、この台紙は、その紙目方向と略直交して設けられる２本の撓め用筋目で折れ曲がって側面視略山形状に湾曲される。このため、例えば、厚手の板紙等のように薄手のものに比べて撓みにくい素材が台紙に使用されるような場合でも、かかる台紙を撓めやすくすることができ、台紙が弾性変形範囲を超えて無理に撓められることで折損してしまうことを防止できるという効果がある。
【００２６】
また、台紙にはその台紙の紙目方向に略直交する方向に２本の撓め用筋目が入れられて、予め折目が付けられているので、光ディスクをディスク収容部から取り出すときに、台紙を小さな力でも容易に撓めることができるという効果もある。しかも、保持突起は、２本の撓め用筋目の間に突設されるものであるので、例えば、かかる保持突起を台紙上に固着させる以前に２本の撓め用筋目を入れておけば、これらの筋目を、保持突起の固着位置を指示するためのマーキングとしても利用することができるという効果がある。
【００２７】
請求項５記載のディスク用ケースによれば、請求項１から４のいずれかに記載のディスク用ケースの奏する効果に加え、台紙と補強紙とは互いの紙目が略直交した状態で重着されているので、紙積層板における台紙及び補強紙の重着部分の折曲げに対する剛性強度をより一層高めることができるという効果がある。
【００２８】
請求項６記載のディスク用ケースによれば、請求項１から５のいずれかに記載のディスク用ケースの奏する効果に加え、紙積層板の台紙には、ディスク収容部の形成面に覆設されるカバー紙が、少なくとも１本の折曲げ用筋目を介して一体的に連設されているので、このカバー紙によってディスク収容部を覆って光ディスクを保護することができるという効果がある。
【００２９】
請求項７記載のディスク用ケースによれば、請求項６記載のディスク用ケースの奏する効果に加え、一枚の板紙の紙目方向に沿って折曲げ用筋目を入れて、その折曲げ用筋目に沿って板紙を折り曲げるだけで、台紙及びカバー紙を極めて容易に一体的に形成することができるという効果がある。しかも、折曲げ用筋目は、台紙及びカバー紙の元となる板紙に、折れ曲がり易い方向である紙目方向に沿って入れられるので、台紙及びカバー紙の折目を奇麗なものとすることができるという効果がある。
【００３０】
請求項８記載のディスク用ケースによれば、請求項６又は７に記載のディスク用ケースの奏する効果に加え、紙積層板に対してカバー紙を折り重ねて閉じる場合に、マグネットシートと磁性材シートとを当接させて両者を磁気的な吸着力によって吸着させることで、カバー紙を紙積層板に密着させて止着することができ、カバー紙をディスク収容部に確実に覆い被せることができるという効果がある。
【００３１】
請求項９記載のディスク用ケースによれば、請求項６から８のいずれかに記載のディスク用ケースの奏する効果に加え、カバー紙が紙積層板に折り重ねられて、カバー紙によりディスク収容部が被覆されている場合でも、ディスク用ケースに収容されている光ディスクをカバー紙の窓穴から露呈させて、光ディスク表面の装飾デザインを目視させることもでき、その光ディスク表面の装飾デザインをカバー紙表面のデザインの一部とすることもできるという効果がある。
【００３２】
請求項１０記載のディスク用ケースによれば、請求項１から９のいずれかに記載のディスク用ケースの奏する効果に加え、保持突起は弾性発泡材製の略円柱状体なので、その端面を台紙表面に貼着させるだけで容易に組み立てることができるという効果がある。しかも、保持突起自体を光ディスクの保持孔に押し込むようにするだけで、極めて簡単に光ディスクを保持できるという効果がある。
【００３３】
請求項１１記載のディスク用ケースによれば、請求項１から１０のいずれかに記載のディスク用ケースの奏する効果に加え、台紙、補強紙、又はカバー紙の紙面を表示スペースとして使用することで、ディスク収容部内に収容される光ディスクに記憶される情報に関する文字情報や画像情報を、利用者が思いのままに自由に表示することができ、独自のディスクケースとしての付加価値を高めることができるという効果がある。しかも、表示スペースとなるは台紙、補強紙、又はカバー紙はそもそも紙製の素材なので、各種情報を描出する場合に印刷を容易に施すことができるという効果もある。
【００３４】
請求項１２記載のディスク用ケースによれば、請求項１から１１のいずれかに記載のディスク用ケースの奏する効果に加え、紙積層板又はカバー紙の平面サイズが単行本、書籍、又は、ＤＶＤ用トールケースと略等しいサイズに形成されるので、このディスク用ケースを整理する場合に、単行本、書籍、又はＤＶＤ用トールケースと並べて収納することができ、特製の収納ラックなどがなくても、既存の書棚やＤＶＤラックなどを用いても整理収納することができるという効果がある。
【発明を実施するための最良の形態】
【００３５】
以下、本発明の好ましい実施例について、添付図面を参照して説明する。図１は、本発明のディスク用ケースの一実施例である紙製ディスクケース１の外観斜視図であって、光ディスクＤを抜脱してカバー紙３を開いた状態を図示したものである。
【００３６】
ここで、光ディスクＤは、図１に示すように、略円形状の保持孔ｄが平面視略中央部分に貫穿される円形板状体であり、具体的には、ＣＤやＤＶＤなどの光学的に記憶情報を読み取り可能な電子情報記憶媒体である。なお、図１に示す光ディスクＤに関する代表的な寸法値は、例えば、直径が略１２０ｍｍ、厚みが略１ｍｍ、保持孔ｄの内径が略１５ｍｍである。
【００３７】
図１に示すように、紙製ディスクケース１は、上記した光ディスクＤを収容するためのケース体であり、主として、収容トレイ２と、カバー紙３と、ディスク収容部４と、保持突起５と、一対の割れ目６，６とを備えている。この紙製ディスクケース１は、光ディスクＤの厚みに比べて略２倍程度の厚みを有する極薄型の光ディスク用ケースである。
【００３８】
例えば、本実施例では、１枚の光ディスクＤを収容するものであるので、この紙製ディスクケース１の厚みが略２ｍｍ（大きくても略３ｍｍ）程度となる。なお、複数枚の光ディスクＤを収容可能な紙製ディスクケース１の場合、その紙製ディスクケース１の厚みは、複数枚の光ディスクＤを重ねた厚みの略２倍程度となる。
【００３９】
紙製ディスクケース１の収容トレイ２、及び、カバー紙３は平面視略縦長矩形状に形成されており、この紙製ディスクケース１の平面サイズは、例えば、単行本、書籍又はＤＶＤ用トールケースのサイズと略等しいものとされている。このため、紙製ディスクケース１を他の単行本、書籍、又はＤＶＤ用トールケースと並べて収納しても、それらと背丈に高低差ができることもなく、極めて整然と収納することができる。
【００４０】
収容トレイ２は、光ディスクＤをディスク収容部４に収容して保持するものであり、弾性的可撓性及び剛性強度のあるトレイ台紙７と、そのトレイ台紙７の一面に重着される補強紙８とからなる積層紙材で形成されている。トレイ台紙７は、主として、板紙（JIS_P0001（番号4001）及びJIS_Z0108（番号2002）参照）で形成されており、なかでも特に、白ボールやマニラボールなどの白板紙（JIS_Z0108（番号2013）参照）が好適である。
【００４１】
補強紙８は、トレイ台紙７の剛性強度を補強するとともに、トレイ台紙７の上面にディスク収容部４を形成するための厚紙製の板材である。この補強紙８を形成する厚紙には、種々のものを用いることができ、本実施例では、光ディスクＤと略等しい厚みのある段ボールが用いられている。
【００４２】
カバー紙３は、トレイ台紙７と略等しい平面サイズに形成されており、折曲げ用筋目９を介してトレイ台紙７に一体的に連設されている。このカバー紙３は、折曲げ用筋目９を介して収容トレイ２のディスク収容部４の形成面に折り重ねられることで、そのディスク収容部４に覆設される蓋として機能するものである。このカバー紙３があることで、ディスク収容部４内の光ディスクＤを覆って保護することができるのである。
【００４３】
ディスク収容部４は、補強紙８の一部が光ディスクＤの外形に合った平面視略円形状に除去されることで、収容トレイ２の略中央部に形成された平面視略円形状の有底凹陥部であって、その底面部がトレイ台紙７で形成され、その周壁部が補強紙８で形成されている。このディスク収容部４は、その内径が光ディスクＤの外径と略等しいか又は僅かに大きく形成されており、例えば、本実施例におけるディスク収容部４の内径は、光ディスクＤの外径よりも略３．０ｍｍ程度大きく形成されている。このディスク収容部４は、光ディスクＤの厚みと略等しいか又はそれ以上の凹設深さを有しており、例えば、本実施例におけるディスク収容部４の凹設深さは、略１．０ｍｍ前後とされている。
【００４４】
保持突起５は、ディスク収容部４の底面の略中央部に突設されている略円柱状体である。この保持突起５は、光ディスクＤの保持孔ｄと嵌脱可能に嵌合されて光ディスクＤの収容トレイ２からの脱落を防止するためのものであり、例えば、発泡ウレタンやその他の弾性発泡材などのように弾性変形可能な材料で形成されている。この保持突起５の突出量（高さ）は、光ディスクＤの厚みと略等しいか又はそれより僅かに大きくされており、更には、ディスク収容部４の凹設深さ以下であることが好ましい。なお、本実施例における保持突起５の突出量は、例えば、本実施例では、略１．０ｍｍ〜略１．５の範囲とされている。
【００４５】
この保持突起５は、その下端面がトレイ台紙７の上面に接着剤などを介して貼着され、ディスク収容部４の底面から植立されている。このため、保持突起５とトレイ台紙７との貼着部には段差がなく、ディスク収容部４内に光ディスクＤが収容される場合に、光ディスクＤの表面全体がディスク収容部４の底面に当接され、光ディスクＤがディスク収容部４の底面から浮き上がってガタつくことが防止される。しかも、保持突起５の取り付けは、それをトレイ台紙７の表面に貼着させるだけなので、紙製ディスクケース１の組立作業を容易に行うことができる。
【００４６】
また、保持突起５の外径は、光ディスクＤの保持孔ｄの内径よりも僅かに大きく形成されており、例えば、本実施例では、保持孔ｄに比べて直径で略１ｍｍ前後大きく形成されている。もっとも、かかる保持突起５は、弾性変形可能に形成されるので、その外径よりも小さな内径の光ディスクＤの保持孔ｄ内へも弾性変形しながら極めてスムーズに嵌入可能とされている。このように、保持突起５によれば、それ自体を光ディスクＤの保持孔ｄに押し込むようにするだけで、極めて簡単に光ディスクＤを保持できる。
【００４７】
図２は、紙製ディスクケース１の展開平面図であり、図中の矢印はトレイ台紙７及びカバー紙３の紙目方向（図２上下方向）と、補強紙８の紙目方向（図２左右方向）とを示している。図２に示すように、収容トレイ２は平面視縦長矩形状に形成されており、トレイ台紙７の紙目方向は、トレイ台紙７の縦方向（長辺方向）に向けられている。また、トレイ台紙７及びカバー紙３は、一枚の板紙に折曲げ用筋目９を設けて折曲げ可能に形成されたものであり、その折曲げ用筋目９は、トレイ台紙７及びカバー紙３を形成する板紙の紙目方向（図２上下方向）に沿って形成されている。
【００４８】
ここで、トレイ台紙７及びカバー紙３の材料である板紙は、その抄造工程にロール状に巻き取られるときに湾曲するが、この湾曲に伴う撓みに対する強度が、巻き取り時の紙の流れ方向に強く、これに直交する方向に弱くなる。そして、板紙の撓みに強い方向、すなわち、抄造時の板紙の進行方向（巻き取り方向）を、本明細書では「紙目」と称しており、一般には「縦目」や「流目」とも称されている。
【００４９】
このようにトレイ台紙７及びカバー紙３は、一枚の板紙に、その紙目方向に沿って折曲げ用筋目９を入れて、その折曲げ用筋目９に沿って板紙を折り曲げただけのものである。しかも、折曲げ用筋目９は、トレイ台紙７及びカバー紙３の元となる板紙に、折れ曲がり易い方向である紙目方向に沿って入れられるので、トレイ台紙７及びカバー紙３の折目を奇麗なものとすることができる。
【００５０】
また、補強紙８は、その補強紙８の紙目がトレイ台紙７の紙目に略直交した状態で、そのトレイ台紙７に重着されており、一対の割れ目６，６を挟んでトレイ台紙７の紙目方向に２分割されている。このようにトレイ台紙７と補強紙８とは、互いの紙目が略直交した状態で重着されているので、収容トレイ２におけるトレイ台紙７及び補強紙８の重着部分の折曲げに対する剛性強度をより一層高めることができる。
【００５１】
なお、本実施例では、補強紙８の材料として段ボール紙を用いているので、この場合には、段ボール紙の中心紙における波形の稜線に平行な方向が湾曲に強い方向、即ち、「紙目」方向となる。
【００５２】
一対の割れ目６，６は、ディスク収容部４の周壁部のうち、トレイ台紙７の紙目に略直交する方向の両側部分（図２左右両側）にそれぞれ１箇所ずつ設けられている。また、これらの各割れ目６，６は、トレイ台紙７の紙目に略直交する方向（図２左右方向）に沿って、補強紙８の外縁部からディスク収容部４の内周部まで連通している切欠部である。更に、一対の割れ目６，６は、ディスク収容部４に突設される保持突起５とともに、ディスク収容部４の中央を通って収容トレイ２を横断する仮想直線Ｌ（図中の１点鎖線）上に配置されている。
【００５３】
また、各割れ目６，６は、トレイ台紙７を底面とする溝状に形成されており、トレイ台紙７の紙目方向と略同一方向に一定の溝幅、具体的には、人の指先幅と略等しい溝幅を有している。しかも、この各割れ目６，６の溝幅方向両端にある補強紙８には平面視略円弧状に丸み付がなされており、この各割れ目６，６に指先を差し込んで光ディスクＤの両端を摘むときに、補強紙８の先端で指先を損傷することがないようにされている。
【００５４】
更に、トレイ台紙７、補強紙８又はカバー紙３の紙面は、ディスク収容部４内に収容される光ディスクＤに記憶される情報に関する文字情報や画像情報を表示するための表示スペースとして用いることもできる。しかも、トレイ台紙７、補強紙８、又はカバー紙３はそもそも紙材なので、各種情報を描出する場合に印刷を容易に施すこともできる。
【００５５】
例えば、収容トレイ２の外面のうちディスク収容部４を除く部分、即ち、補強紙８の表面に、所望内容のデザイン（文字、図形、模様若しくは色彩又はこれらが結合したもの）を施す一方で、ディスク収容部４内のトレイ台紙７表面に、補強紙８表面のデザインに付随または関連した内容のデザインを施すこともできる。また、光ディスクＤのデザインを収容トレイ２のデザインの一部に組み込んだようなデザインを施すこともできる。
【００５６】
次に、図１から図３を参照して、上記のように構成された紙製ディスクケース１の使用方法について説明する。図３は、図２のＩＩＩ−ＩＩＩ線における断面図であって、収容トレイ２を側面視略アーチ状（又は側面視略凸状）に撓めた状態を示している。まず、紙製ディスクケース１に光ディスクＤを収容する場合、まず、図１に示すように、光ディスクＤの読取面がディスク収容部４に向けられて、光ディスクＤの保持孔ｄの周辺部が保持突起５の頂部に載置される。それから光ディスクＤがディスク収容部４の底面へ向けて押圧されると、保持突起５が弾性変形しながら光ディスクＤの保持孔ｄ内へ嵌入される。
【００５７】
そして、光ディスクＤがディスク収容部４の底面（即ち、トレイ台紙７表面）に当接されるまで押し込まれると、光ディスクＤがディスク収容部４内に嵌合されて収容される。それから、図２に示す折曲げ用筋目９に沿って、カバー紙３が収容トレイ２のディスク収容部４に覆い被せられるように折り重ねられると、ディスク収容部４にカバー紙３が覆設されて、紙製ディスクケース１が閉じられる。
【００５８】
一方、光ディスクＤを抜脱する場合は、まず、カバー紙３が折曲げ用筋目９を介して開かれて、図２に示すように紙製ディスクケース１が展開される。それから、収容トレイ２の長手方向両側（図２上下両側）が両手で掴まれて、その収容トレイ２を一対の割れ目６，６に沿って割るように外力が加えられると、トレイ台紙７と補強紙８との積層部分は厚みがあって撓みにくいが、一対の割れ目６，６の入れられた部分は補強紙８が割けているため、図３に示すように、この一対の割れ目６，６を稜線としてトレイ台紙７が側面視略アーチ状に撓められる。
【００５９】
すると、その収容トレイ２のディスク収容部４が、そのトレイ台紙７の紙目方向両端よりも湾出されるように迫り出され、それに伴って、光ディスクＤが、保持突起５に嵌合されたままディスク収容部４の底面から浮き上がって、収容トレイ２のディスク収容部４から離反される。そして、このディスク収容部４から離反した部分が摘まれて光ディスクＤがディスク収容部４から持ち上げられると、光ディスクＤの保持孔ｄから保持突起５が抜脱され、光ディスクＤがディスク収容部４の外へと取り出される。
【００６０】
このようにして光ディスクＤが取り出された後、収容トレイ２を撓める力を弱めると、側面視略アーチ状に撓んでいた収容トレイ２が、トレイ台紙７の弾性復元力によって側面視略水平状の元の状態に復元される。
【００６１】
以上説明したように、本実施例の紙製ディスクケース１によれば、光ディスクＤをディスク収容部４から抜脱させる場合、トレイ台紙７を撓めることでディスク収容部４から光ディスクＤを離反させることができ、その状態にある光ディスクＤを摘み上げれば、その光ディスクＤを保持突起５及びディスク収容部４から容易に抜脱することができる。しかも、図３に示すように、収容トレイ２がトレイ台紙７の紙目方向に沿ってカーブを描くように略アーチ状に撓められるとき、このトレイ台紙７は紙目方向に強い弾性的反発力を発生するので、収容トレイ２を撓める外力で折損するような事態を回避できる。
【００６２】
また、図２に示すように、保持突起５及び一対の割れ目６，６は、ディスク収容部４の中央を横断するようにほぼ一直線状に配置されるので、図３に示すように光ディスクＤを取り出すためにトレイ台紙７が略アーチ状に撓められるときに、そのトレイ台紙における略アーチ状の撓みの頂部に保持突起５を位置させることができる。このため、トレイ台紙７が撓められた場合に、図３に示すように、光ディスクＤの直径方向両側を収容トレイ２から均等に離反させて、その離反させたどちら側からでも、光ディスクＤを摘み上げて取り出すことができる。
【００６３】
更に、図２に示すように、ディスク収容部４の両側にある各割れ目６，６は、その溝幅が人の指先幅と略等しくされているので、これらの各割れ目６，６に指先を差し入れて、ディスク収容部４内に収容されている光ディスクＤの両端を摘んで取り出すこともできる。しかも、一対の割れ目６，６の溝幅を人の指先幅程度の大きさとすることで、図３に示すように一対の割れ目６，６で収容トレイ２を割るようにトレイ台紙７を撓ませる場合にも、かかるトレイ台紙７を滑らかに撓めることができるものとなり、かつ、トレイ台紙７の折損も更に起こりにくくなる。
【００６４】
次に、図４から図１０を参照して、上記実施例の変形例について説明する。なお、以下に説明する各実施例では、それ以前に説明された別の実施例と同一の部分には同一の符号を付して、その説明を省略し、異なる部分のみを説明することとする。
【００６５】
図４（ａ）は、第２実施例の紙製ディスクケース２０の展開平面図であり、図４（ｂ）は、第２実施例の紙製ディスクケース２０の平面図である。この第２実施例の紙製ディスクケース２０は、上記した第１実施例の紙製ディスクケース１に対して、カバー紙の形態を変更したものである。図４に示すように、第２実施例の紙製ディスクケース２０には、そのカバー紙２１に所望の平面形状の窓穴２２が穿設されている。なお、本実施例では、窓穴２２の平面形状を略瓢箪状に形成したが、かかる窓穴２２の平面形状は必ずしもこれに限定されるものではなく、他の形状を採用しても良い。
【００６６】
この第２実施例の紙製ディスクケース２０によれば、図４（ｂ）に示すように、カバー紙２１が収容トレイ２に折り重ねられて、カバー紙２１によりディスク収容部４が被覆されている場合でも、紙製ディスクケース２０に収容されている光ディスクＤをカバー紙２１の窓穴２２から露呈させて、光ディスクＤ表面の装飾デザインを目視させることもでき、その光ディスクＤの装飾デザインをカバー紙２１表面のデザインの一部とすることもできる。
【００６７】
図５は、第３実施例の紙製ディスクケース３０の展開平面図であり、図６は、図５のＶＩ−ＶＩ線における断面図であって、収容トレイ２を側面視略アーチ状に撓めた状態を示している。この第３実施例の紙製ディスクケース３０は、上記した第１実施例の紙製ディスクケース１に対して、トレイ台紙の形態を一部変更したものである。
【００６８】
図５に示すように、第３実施例の紙製ディスクケース３０によれば、トレイ台紙７の表面には、２本の撓め用筋目３１，３１がトレイ台紙７の紙目方向（図５上下方向）に一定間隔をあけて設けられている。これらの２本の撓め用筋目３１，３１は、ディスク収容部４から光ディスクＤを取り出すときに収容トレイ２を撓める場合の折目となるものであり、ディスク収容部４の底面略中央を横切るように、そのトレイ台紙７の紙目に略直交する方向（図５左右方向）の幅全体にわたって設けられている。
【００６９】
また、２本の撓め用筋目３１，３１の間隔部分には上記した保持突起５が突設されており、２本の撓め用筋目３１，３１の間隔幅は保持突起５の外径と略等しくされている。更に、２本の撓め用筋目３１，３１の間隔幅は上記した各割れ目６，６の溝幅と略等しくされており、この各割れ目６，６の底面は、トレイ台紙７における各撓め用筋目３１，３１の間隔部分で形成されている。つまり、２本の撓め用筋目３１，３１は、ディスク収容部４の底面をトレイ台紙７の紙目に略直交する方向（図５左右方向）に横断して、そのディスク収容部４の両側にある各割れ目６，６を通ってトレイ台紙７の横幅方向両端（図６左右方向両側）に達している。
【００７０】
この第３実施例の紙製ディスクケース３０によれば、図６に示すように、収容トレイ２を各割れ目６，６で割るようにしてトレイ台紙７を撓ませる場合、このトレイ台紙７は、２本の撓め用筋目３１，３１で折れ曲がって側面視略山形状に湾曲される。したがって、例えば、トレイ台紙７が撓みにくい厚手の板紙で形成されるような場合でも、そのトレイ台紙７が弾性変形範囲を超えて無理に撓められて折損してしまうようなことを防止できる。
【００７１】
図７は、第４実施例の紙製ディスクケース４０の外観斜視図であって、光ディスクＤを抜脱してカバー紙３を開いた状態を図示したものである。この第４実施例の紙製ディスクケース４０は、上記した第１実施例の紙製ディスクケース１に対して、閉じられたカバー紙３を収容トレイ２に密着させる手段を追加したものである。図７に示すように、第４実施例の紙製ディスクケース４０によれば、補強紙８には、トレイ台紙７との非重着面（図７上側）、即ち、カバー紙３との対向面に、合計２個の矩形小片状のマグネットシート４１，４１が貼着されている。
【００７２】
この各マグネットシート４１，４１は、収容トレイ２の四隅のうち、折曲げ用筋目９に隣接する２つのコーナー部を除く、残る２つのコーナー部にそれぞれ１個ずつ貼着されている。また、カバー紙３には、そのカバー紙３が折り重ねられる場合に収容トレイ２と対向する位置に、各マグネットシート４１，４１により吸着される金属シートなどの磁性材シート４２，４２が貼着されている。
【００７３】
図８は、第５実施例の紙製ディスクケース５０の展開平面図である。第５実施例の紙製ディスクケース５０は、上記した第１実施例の紙製ディスクケース１に対して、カバー紙の形態を変更したものである。図８に示すように、第５実施例の紙製ディスクケース５０は、第１実施例のものと同形態に形成された収容トレイ２と２枚のカバー紙５１，５２とを備えており、トレイ台紙７と２枚のカバー紙５１，５２とが１枚の板紙で形成されている。
【００７４】
具体的には、トレイ台紙７における一方の長辺（左辺）は、折曲げ用筋目９を介して、中カバー紙５１における一方の長辺（右辺）に連設されており、その中カバー紙５１における他方の長辺（左辺）は、別の折曲げ用筋目５３を介して、外カバー紙５２における一方の長辺（右辺）に連設されている。
【００７５】
この第５実施例の紙製ディスクケース５０によれば、図８に示すように展開状態にしてから、光ディスクＤがディスク収容部４に収容される。その後、収容トレイ２を折曲げ用筋目９で中カバー紙５１に対して折り曲げて、収容トレイ２を中カバー紙５１の上に折り重ねてから、更に、それらを別の折曲げ用筋目５３で折り曲げて外カバー紙５２の上に折り重ねると、収容トレイ２が２枚のカバー紙５１，５２で包み込まれるような格好で、紙製ディスクケース５０が三つ折り状に折り畳まれる。
【００７６】
図９は、第６実施例の紙製ディスクケース６０の展開平面図である。第６実施例の紙製ディスクケース６０は、上記した第５実施例の紙製ディスクケース５０に対して、外カバー紙の形態を変更したものである。図９に示すように、第６実施例の紙製ディスクケース６０によれば、外カバー紙６１には、中カバー紙５１と連設されている長辺（右辺）の対辺（左辺）から外方へ突出される略凸字状の差込片６２が一体的に形成されている。一方、収容トレイ２のディスク収容部４における底面には、トレイ台紙７の紙目方向に長細いスリット６３が穿設されている。
【００７７】
この第６実施例の紙製ディスクケース６０によれば、図９に示すように展開状態にしてから、光ディスクＤがディスク収容部４に収容される。その後、収容トレイ２を折曲げ用筋目９で中カバー紙５１に対して折り曲げて、収容トレイ２を中カバー紙５１の上に折り重ねてから、更に、それらを別の折曲げ用筋目５３で折り曲げて外カバー紙６１の上に折り重ねると、紙製ディスクケース６０が三つ折り状に折り畳まれる。このとき、トレイ台紙７に外カバー紙６１が折り重なる状態となるので、トレイ台紙７に穿設されているスリット６３に、外カバー紙６１の差込片６２を差し込めば、外カバー紙６１がトレイ台紙７に係合される。
【００７８】
図１０は、第７実施例の紙製ディスクケース７０の展開平面図である。第７実施例の紙製ディスクケース７０は、上記した第１実施例の紙製ディスクケース１に対して、収容トレイの形態を変更したものである。図１０に示すように、第７実施例の紙製ディスクケース７０は、第１実施例のものと同形態に形成された一対の収容トレイ７１，７２とカバー紙３とを備えており、これらの一対の収容トレイ７１，７２の各トレイ台紙７３，７４とカバー紙３とが１枚の板紙で形成されている。
【００７９】
具体的には、一方のトレイ台紙７３における一方の長辺（左辺）は、折曲げ用筋目７５を介して、他方のトレイ台紙７４における一方の長辺（右辺）に連設されており、その他方のトレイ台紙７４における他方の長辺（左辺）は、別の折曲げ用筋目９を介して、カバー紙３における一方の長辺（右辺）に連設されている。そして、各トレイ台紙７３，７４には、それぞれ第１実施例のものと同形態の補強紙８がそれぞれ重着されてディスク収容部４，４が形成されている。
【００８０】
この第７実施例の紙製ディスクケース７０によれば、図１０に示すように展開状態にしてから、光ディスクがディスク収容部４，４に収容される。このとき、収容トレイ７１，７２が一対あるので、各収容トレイ７１，７２にそれぞれ光ディスクＤを収容させることができる。そして、この後に、一方の収容トレイ７１を折曲げ用筋目７４で他方の収容トレイ７２に対して折り曲げて、双方のディスク収容部４，４が向かい合わせとなるように折り重ねてから、更に、それらを別の折曲げ用筋目９で折り曲げてカバー紙３の上に折り重ねると、紙製ディスクケース７０が三つ折り状に折り畳まれる。
【００８１】
図１１（ａ）は、第８実施例の紙製ディスクケースを製造するための裁断片８０の展開平面図であり、図１１（ｂ）は、第９実施例の紙製ディスクケースを製造するための裁断片９０の展開平面図である。これら第８又は第９実施例の裁断片８０，９０は、上記した第１実施例の紙製ディスクケース１のようにトレイ台紙７にそれとは別体の補強紙８を重着して収容トレイ２を製造するものとは異なり、１枚の紙片から収容トレイを製造するためのものである。なお、図中では、トレイ台紙７の表面に保持突起５が貼着された状態を図示している。
【００８２】
第８実施例の裁断片８０は、図１１（ａ）に示すように、カバー紙３、トレイ台紙７及び、補強紙８１，８２を同じ１枚の板紙から一連の形態として裁断したものである。補強紙８１，８２は、トレイ台紙７の紙目方向両側の縁辺（短辺）に、折目８１ａ，８２ａを介してそれぞれ１片ずつ連設されている。この第８実施例の裁断片８０によれば、折目８１ａ，８２ａに沿って補強紙８１，８２を折り曲げて、それらをトレイ台紙７に重着させることで、第１実施例のものと同様な形態のディスク収容部及び収容トレイを製造することができる。
【００８３】
第９実施例の裁断片９０は、図１１（ｂ）に示すように、カバー紙３、トレイ台紙７及び、補強紙９１，９２を同じ１枚の板紙から一連の形態として裁断したものである。補強紙９１，９２は、トレイ台紙７の紙目に直交する方向における片方の縁辺（長辺）に、折目９１ａ，９２ａを介して平面視略「＝」字形に連設されている。この第９実施例の裁断片８０によれば、折目９１ａ，９２ａに沿って補強紙９１，９２を折り曲げて、それらをトレイ台紙７に重着させることで、第１実施例のものと同様な形態のディスク収容部及び収容トレイを製造することができる。
【００８４】
図１２（ａ）は、第１０実施例の紙製ディスクケースを製造するための裁断片１００の展開平面図であり、図１２（ｂ）は、第１１実施例の紙製ディスクケースを製造するための裁断片１１０の展開平面図である。これら第１０又は第１１実施例の裁断片１００，１１０は、上記した第８又は第９実施例の裁断片８０，９０に対して、ディスク収容部の深さを大きくするために裁断片の形態を変更したものである。なお、図中では、トレイ台紙７の表面に保持突起５が貼着された状態を図示している。
【００８５】
第１０実施例の紙製ディスクケースの裁断片１００は、図１２（ａ）に示すように、カバー紙３、トレイ台紙７及び、４片の補強紙１０１〜１０４を同じ１枚の板紙から一連の形態として裁断したものである。２片の補強紙１０１，１０２は、トレイ台紙７の紙目方向両側の縁辺（短辺）に、折目１０１ａ，１０２ａを介してそれぞれ１片ずつ連設されている。また、残る２片の補強紙１０３，１０４は、トレイ台紙７の紙目に直交する方向における片方の縁辺（長辺）に、折目１０３ａ，１０４ａを介して平面視略「＝」字形に連設されている。
【００８６】
この第１０実施例の裁断片１００によれば、例えば、折目１０３ａ，１０４ａに沿って補強紙１０３，１０４をトレイ台紙７の上に折り重ねて重着させてから、更に、折目１０１ａ，１０２ａに沿って補強紙１０１，１０２を補強紙１０３，１０４の上にそれぞれ折り重ねて重着することで、ディスク収容部の深さを大きくすることができる。
【００８７】
第１１実施例の紙製ディスクケースの裁断片１１０は、図１２（ｂ）に示すように、カバー紙３、トレイ台紙７及び、４片の補強紙１１１〜１１４を同じ１枚の板紙から一連の形態として裁断したものである。２片の補強紙１１１，１１２は、トレイ台紙７の紙目に直交する方向における片方の縁辺（長辺）に、折目１１１ａ，１１２ａを介して平面視略「＝」字形連設されている。そして、残る１片の補強紙１１３は折目１１３ａを介して補強紙１１１と左右対称に連設され、残るもう１片の補強紙１１４は折目１１４ａを介して補強紙１１２と左右対称に連設されている。
【００８８】
この第１１実施例の裁断片１１０によれば、折目１１３ａ，１１４ａに沿って補強紙１１３，１１４を補強紙１１１，１１２の上にそれぞれ折り重ねて重着させるとともに、折目１１１ａ，１１２ａに沿って補強紙１１１，１１２をトレイ台紙７の上にそれぞれ折り重ねて重着することで、ディスク収容部の深さを大きくすることができる。
【００８９】
以上、実施例に基づき本発明を説明したが、本発明は上記実施例に何ら限定されるものではなく、本発明の趣旨を逸脱しない範囲内で種々の改良変形が可能であることは容易に推察できるものである。例えば、第１乃至第１１実施例では、光ディスクＤの平面形状が円形状で、保持孔ｄの開口形状が略円形状のものについて説明したが、光ディスクの平面形状および保持孔の開口形状は必ずしもこれに限定されるものではなく、平面形状が略長方形状のカード型の光ディスクであっても良い。
【００９０】
また、保持孔の開口形状が矩形状など非円形状の光ディスクがあれば、その光ディスクの形態に適合するように、第１乃至第１１実施例のディスク収容部や保持突起、又は、第２実施例の窓穴の形態を随時変更しても良い。また、光ディスクの外径又は保持孔の内径は上記例示以外のものでも良い。
【００９１】
更に、第４実施例の紙製ディスクケースでは、収容トレイ２にマグネットシート４１，４１を、カバー紙３に磁性材シート４２，４２を、それぞれ貼着したが、収容トレイの各マグネットシートとの間に磁気的吸着力を発生するマグネットシートを、カバー紙に貼着するようにしても良い。また更に、第４実施例とは逆に、収容トレイに磁性材シートを、カバー紙にマグネットシートを、それぞれ貼着するようにしても良い。
【図面の簡単な説明】
【００９２】
【図１】本発明の一実施例である紙製ディスクケースの外観斜視図であって、光ディスクを抜脱してカバー紙を開いた状態を図示したものである。
【図２】紙製ディスクケースの展開平面図である。
【図３】図２のＩＩＩ−ＩＩＩ線における断面図であって、収容トレイを側面視略アーチ状に撓めた状態を示している。
【図４】（ａ）は、第２実施例の紙製ディスクケースの展開平面図であり、（ｂ）は、第２実施例の紙製ディスクケースの平面図である。
【図５】第３実施例の紙製ディスクケースの展開平面図である。
【図６】図５のＶＩ−ＶＩ線における断面図であって、収容トレイを側面視略アーチ状に撓めた状態を示している。
【図７】第４実施例の紙製ディスクケースの外観斜視図であって、光ディスクを抜脱してカバー紙を開いた状態を図示したものである。
【図８】第５実施例の紙製ディスクケースの展開平面図である。
【図９】第６実施例の紙製ディスクケースの展開平面図である。
【図１０】第７実施例の紙製ディスクケースの展開平面図である。
【図１１】（ａ）は、第８実施例の紙製トレイを製造するための裁断片の展開平面図であり、（ｂ）は、第９実施例の紙製トレイを製造するための裁断片の展開平面図である。
【図１２】（ａ）は、第１０実施例の紙製トレイを製造するための裁断片の展開平面図であり、（ｂ）は、第１１実施例の紙製トレイを製造するための裁断片の展開平面図である。
【符号の説明】
【００９３】
１，５０，６０，７０            紙製ディスクケース（ディスク用ケース）
２，７１，７２                  収容トレイ（紙積層板）
３，５１，５２，６１            カバー紙
４                              ディスク収容部
５                              保持突起
６，６                          割れ目
７，７３，７４                  トレイ台紙（台紙）
８，８１，８１，９１，９１      補強紙
９，５３，７５                  折曲げ用筋目
２０                            紙製ディスクケース（ディスク用ケース）
２１                            カバー紙
２２                            窓穴
３０                            紙製ディスクケース（ディスク用ケース）
３１，３１                      撓め用筋目
４０                            紙製ディスクケース（ディスク用ケース）
４１                            マグネットシート
４２                            磁性材シート
Ｄ                              光ディスク
ｄ                              保持孔
Ｌ                              仮想直線
【図１】
2007254004.tif 000003
【図２】
2007254004.tif 000004
【図３】
2007254004.tif 000005
【図４】
2007254004.tif 000006
【図５】
2007254004.tif 000007
【図６】
2007254004.tif 000008
【図７】
2007254004.tif 000009
【図８】
2007254004.tif 000010
【図９】
2007254004.tif 000011
【図１０】
2007254004.tif 000012
【図１１】
2007254004.tif 000013
【図１２】
2007254004.tif 000014